(57)【要約】      （修正有）【課題】回路板にはんだ付けしやすく且つ生産コストが低い電気コネクタを提供する。【解決手段】この電気コネクタは、絶縁本体１０、複数の端子、該絶縁本体の両側に位置する固定手段４０と保持手段５０を包含する。該絶縁本体に複数の端子溝が設けられ、該絶縁本体の両側に係止溝１３と嵌止溝１４が設けられている。これら端子は端子溝内に挿入される。該固定手段は上下に可動に両側の係止溝内に挿入され、該固定手段はそれぞれ基部４１、該基部の一端より下向きに折り曲げられ延伸されてなるソルダー部４２、及びこの端が延伸され上向きに折り曲げられ並びに延伸されてなる延伸部４３を具え、該ソルダー部は該絶縁本体の底面に位置し、該係止溝の幅は該基部の厚さより大きい。該保持手段は該嵌止溝内に挿入され、該保持手段に保持部５３が設けられ、該保持部が該延伸部に保持される。該固定手段が上下に可動に係止溝内に挿入されることにより、製造上、適当な公差を許容でき、製造が比較的容易である。【選択図】図２
0003161154.tif 000002
【実用新案登録請求の範囲】
【請求項１】
電気コネクタにおいて、
絶縁本体であって、複数の端子溝が設けられ、該絶縁本体の両側にそれぞれ係止溝と嵌止溝が設けられた、上記絶縁本体と、
該絶縁本体の該端子溝内に挿入された複数の端子と、
固定手段であって、上下に可動に該絶縁本体の両側の該係止溝内に挿入され、該固定手段は基部、該基部の一端より下向きに折り曲げられ延伸されてなるソルダー部、及びこの端が延伸され上向きに折り曲げられ並びに延伸されてなる延伸部を具え、該ソルダー部は該絶縁本体の底面に位置し、該係止溝の幅は該基部の厚さより大きい、上記固定手段と、  保持手段であって、該絶縁本体の両側の該嵌止溝内に挿入され、該保持手段に保持部が設けられ、該保持部が該延伸部に保持される、上記保持手段と、
を包含したことを特徴とする、電気コネクタ。
【請求項２】
請求項１記載の電気コネクタにおいて、該基部の別端より二つの係止部が延伸され、該係止部の末端がそれぞれ外向きに折り曲げられ延伸されてフックが形成され、該係止部は該係止溝内に係止され、該フックは該絶縁本体の一端面に係止されることを特徴とする、電気コネクタ。
【請求項３】
請求項１記載の電気コネクタにおいて、該基部の一側が折り曲げられ延伸されて係止壁が形成され、該係止壁の末端に係止凸部が凸設され、該係止凸部が該絶縁本体の一端面に当接することを特徴とする、電気コネクタ。
【請求項４】
請求項１記載の電気コネクタにおいて、該保持手段が基板部を具え、該基板部の一端が折り曲げられて延伸されて係止ブロックが設けられ、該係止ブロックが該絶縁本体の一端面に当接することを特徴とする、電気コネクタ。
【請求項５】
請求項４記載の電気コネクタにおいて、該基板部の一端縁に嵌止凸部が凸設され、該基板部が該嵌止溝内に嵌止され、該嵌止凸部が嵌止溝内壁に嵌止されることを特徴とする、電気コネクタ。
【請求項６】
請求項１記載の電気コネクタにおいて、該端子はそれぞれソルダーピンを具備し、該ソルダーピンが該絶縁本体の底面に位置することを特徴とする、電気コネクタ。
【考案の詳細な説明】
【技術分野】
【０００１】
本考案はコネクタに係り、特に一種の電気コネクタに関する。
【背景技術】
【０００２】
図４に示されるように、周知の電気コネクタ６０は絶縁本体６１、複数の第１端子６２、複数の第２端子６３、二つの、それぞれ該絶縁本体６１の一側に取付けられた保持手段６４を包含する。そのうち、該第１端子６２及び第２端子６３はいずれも回路板にはんだ付け可能なソルダーピンを有し、保持手段６４には回路板にはんだ付け可能な位置決め面６４１が設けられ、保持手段６４は電子カードを電気コネクタ６０に安定して挿入させて左右に移動させない。
【０００３】
ただし、電子カードが抜き差ししにくく、抜き差しの際に電気コネクタ６０が上に反ることで、第１端子６２、第２端子６３のソルダーピンがぐらつき、周知の電気コネクタは回路板にはんだ付けされる時、二つの保持手段６４の位置決め面６４１が第１端子６２、第２端子６３のソルダーピンと同一平面上にあることが要求され、該保持手段６４が比較的長いために、位置決め面６４１を第１端子６２、第２端子６３のソルダーピンの底面と同一水面上にあるようにするのは非常に困難であり、製造上精密度の要求が高く、生産コストダウンには不利であった。
【考案の概要】
【考案が解決しようとする課題】
【０００４】
本考案の主要な目的は、上述の周知の技術に存在する欠点に対して、一種の、回路板にはんだ付けしやすく且つ生産コストが低い電気コネクタを提供することにある。
【課題を解決するための手段】
【０００５】
上述の目的を実現するため、本考案の電気コネクタは、絶縁本体、複数の端子、該絶縁本体の両側に位置する固定手段と保持手段を包含する。該絶縁本体に複数の端子溝が設けられ、該絶縁本体の両側に係止溝と嵌止溝が設けられている。これら端子は端子溝内に挿入される。該固定手段は上下に可動に両側の係止溝内に挿入され、該固定手段はそれぞれ基部、該基部の一端より下向きに折り曲げられ延伸されてなるソルダー部、及びこの端が延伸され上向きに折り曲げられ並びに延伸されてなる延伸部を具え、該ソルダー部は該絶縁本体の底面に位置し、該係止溝の幅は該基部の厚さより大きい。該保持手段は該嵌止溝内に挿入され、該保持手段に保持部が設けられ、該保持部が該延伸部に保持される。
【考案の効果】
【０００６】
以上により、本発明の電気コネクタは、該係止溝の幅が該基部の厚さより大きく、該固定手段は上下に可動に該絶縁本体の該係止溝内に挿入されることにより、製造上、適当な公差を許容でき、製造が比較的容易で且つ共面の効果を確保できる。
【図面の簡単な説明】
【０００７】
【図１】本考案の電気コネクタの実施例の立体図である。
【図２】図１の電気コネクタの立体分解図である。
【図３】図１の電気コネクタの部分断面図である。
【図４】周知の電気コネクタの立体図である。
【考案を実施するための形態】
【０００８】
本考案の技術内容、構造特徴及びその達成する目的と作用効果を詳細に説明するため、以下に実施例に図面を組み合わせて詳しく説明を行う。
【０００９】
図１を参照されたい。本考案の電気コネクタ１００は、絶縁本体１０、第１端子２０、第２端子３０、二つの固定手段４０及び二つの保持手段５０を包含する。
【００１０】
図２を参照されたい。絶縁本体１０には複数の第１端子溝１１と複数の第２端子溝１２が開設され、これら第１端子溝１１は前列下よりに位置し、これら第２端子溝１２は後列上よりに位置し、これら第１端子溝１１とこれら第２端子溝１２で端子溝が構成されている。絶縁本体１０の両側には係止溝１３が開設され、絶縁本体１０の係止溝１３の外側に嵌止溝１４が開設されている。
【００１１】
上述の第１端子２０及び第２端子３０はそれぞれソルダーピン２１、ソルダーピン３１を具え、該第１端子２０は絶縁本体１０の第１端子溝１１内に挿入され、ソルダーピン２１は絶縁本体１０の底面に位置し並びに回路板上（図示せず）にはんだ付けされる。該第２端子３０は絶縁本体１０の第２端子溝１２内に挿入され、ソルダーピン３１は該絶縁本体１０の底面に位置し並びに回路板にはんだ付けされる。第１端子２０及び第２端子３０で上述の端子が構成される。
【００１２】
上述の固定手段４０はそれぞれ基部４１と、基部４１の一端より下向きに折り曲げられ延伸されてなるソルダー部４２、及び、該端が延伸され上向きに折り曲げられ並びに延伸されてなる延伸部４３を包含する。基部４１の別端より二つの係止部４４が延伸され、該係止部４４の末端はそれぞれ外向きに折り曲げられ延伸されてフック４５が形成され、基部４１の一側は折り曲げられ延伸されて係止壁４６が形成され、該係止壁４６の末端に係止凸部４７が凸設されている。図３を参照されたい。該係止溝１３の幅は固定手段４０の基部４１の厚さより大きく、これにより、固定手段４０は上限に可動に絶縁本体１０の係止溝１３内に挿入され、係止部４４は上述の係止溝１３内に係止され、フック４５は絶縁本体１０の一端面に係止され、係止凸部４７は絶縁本体１０の一端面に当接し、ソルダー部４２は絶縁本体１０の底面に位置する。
【００１３】
上述の保持手段５０は基板部５１を具え、該基板部５１の一端が折り曲げられ延伸されて係止ブロック５２が設けられ、基板部５１の下端は折り曲げられ延伸されて保持部５３が設けられ、基板部５１の一端縁に嵌止凸部５４が凸設される。これら保持手段５０は絶縁本体１０内に挿入され、基板部５１が上述の嵌止溝１４内に嵌止され、保持部５３は固定手段４０の延伸部４３に保持されて、該延伸部４３の過度の退出を防止し、係止ブロック５２は絶縁本体１０の一端面に当接し、嵌止凸部５４は嵌止溝１４内壁に嵌め止めされる。保持手段５０は電子カードを安定して電気コネクタ１００に挿入させて左右にぐらつかせない。
【００１４】
総合すると、本考案の電気コネクタ１００は係止溝１３の幅が基部４１の厚さより大きく、これにより、固定手段４０が上下に可動に絶縁本体１０の係止溝１３内に挿入され、これにより、製造上、適当な公差を許容可能であり、すなわち、固定手段４０のソルダー部４２と端子のソルダーピン２１、３１の共面の要求を達成し、ゆえに、製造が比較的容易で且つ共面の効果を確保できる。且つ固定手段４０が絶縁本体１０に挿入され、固定手段４０のソルダー部４２が回路板にはんだ付けされることにより、電子カード抜き差し時に電気コネクタ１００の反り返りにより第１端子２０、第２端子３０のソルダーピンがぐらつくのを防止できる。
【符号の説明】
【００１５】
１００  電気コネクタ            １０  絶縁本体
１１  第１端子溝                １２  第２端子溝
１３  係止溝                    １４  嵌止溝
２０  第１端子                  ２１  ソルダーピン
３０  第２端子                  ３１  ソルダーピン
４０  固定手段                  ４１  基部
４２  ソルダー部                ４３  延伸部
４４  係止部                    ４５  フック
４６  係止壁                    ４７  係止凸部
５０  保持手段                  ５１  基板部
５２  係止ブロック              ５３  保持部
５４  嵌止凸部
【図１】
0003161154.tif 000003
【図２】
0003161154.tif 000004
【図３】
0003161154.tif 000005
【図４】
0003161154.tif 000006